(57)【特許請求の範囲】
【請求項１】
突起部を有するポケットを備え、当該突起部が当該ポケットの端壁から延伸しているボディと、
前記突起部を受けるための大きさのくぼみを含む取付部分を備えるネックと、
前記ネックを前記ボディに連結する締結具と、
を備え、
前記ボディと前記ネックとは、前記突起部が前記くぼみに受けられかつ接するように連結される、
ネック接合部を含み、
前記ボディ及び前記ネックには、前記締結具が実装されるときに、前記ポケットの前記端壁の前記突起部が前記ネックの前記取付部分のくぼみに押し付けられるようにずらされた穴がそれぞれ形成されていることを特徴とする楽器。
【請求項２】
前記取付部分は一対の第２の突起部を含み、前記各第２の突起部は前記取付部分の側壁から延び、かつ前記ポケットの側壁に接するように構成される、請求項１に記載のネック接合部を含む楽器。
【請求項３】
前記ポケットは、前記第２の突起部を受けるように構成される前記ポケットの前記側壁に配置される一対のくぼみを含む、請求項２に記載のネック接合部を含む楽器。
【請求項４】
前記ポケット内の、前記ネックと前記ボディとの間に挿入されるスペーサをさらに備える楽器であって、前記スペーサは前記ポケットの外周部と相補的な関係にある外周部を有する、請求項１に記載のネック接合部を含む楽器。
【請求項５】
前記ポケットはスペーサ収容部を備え、前記スペーサは、前記スペーサが前記スペーサ収容部を実質的にふさぐように前記スペーサ収容部の長さに実質的に相当する長さを有する、請求項４に記載のネック接合部を含む楽器。
【請求項６】
前記スペーサは先細になる形状である、請求項４に記載のネック接合部を含む楽器。
【請求項７】
前記スペーサは、前記ポケットの前記突起部を受けるように構成されるくぼみを備える、請求項４に記載のネック接合部を含む楽器。
【請求項８】
前記スペーサは、前記スペーサの側壁から外向き横方向に延びる一対の突起部を備える、前記請求項４に記載のネック接合部を含む楽器。
【請求項９】
前記締結具は、前記ボディを貫通して延び、かつ前記ネックに連結されるねじ込みナットに連結されるネジである、請求項１に記載のネック接合部を含む楽器。
【請求項１０】
前記ボディは、前記締結具のヘッド部を受けるように構成される前記ボディの底面に延びるくぼみを備える、請求項１に記載のネック接合部を含む楽器。
【請求項１１】
前記締結具のヘッド部を受けるように構成される挿入部をさらに備える楽器であって、前記挿入部は前記ボディの前記くぼみ内で受けられる、請求項１０に記載のネック接合部を含む楽器。
【請求項１２】
前記突起部の接触面は弓状である、請求項１に記載のネック接合部を含む楽器。
【請求項１３】
前記突起部の接触面は複数の平面を含む、請求項１に記載のネック接合部を含む楽器。
【請求項１４】
前記ボディは共鳴板を備え、
前記締結具は、前記共鳴板に垂直に向けられている、請求項１に記載のネック接合部を含む楽器。
【請求項１５】
ポケットを備え、当該突起部が当該ポケットの端壁から延伸しているボディと、
前記突起部を受けるための大きさのくぼみを含む取付部分を備えるネックと、
前記突起部が前記くぼみの中に受けられ、かつ前記くぼみの側壁に接するように前記ネックを前記ボディに連結する締結具と、
を備える楽器であって、
前記ポケットと前記取付部分は、前記ポケットの側壁と前記取付部分との間の接点位置が三角形をなすように構成されたネック接合部を含み、
前記ボディ及び前記ネックには、前記締結具が実装されるときに、前記ポケットの前記端壁の前記突起部が前記ネックの前記取付部分のくぼみに押し付けられるようにずらされた穴がそれぞれ形成されていることを特徴とする楽器。
【請求項１６】
前記締結具は、前記三角形をなす接点位置の間で形成される三角形内に配置される単一の締結具である、請求項１５に記載のネック接合部を含む楽器。
【発明の詳細な説明】
【技術分野】
【０００１】
本発明は、楽器、特に楽器のボディ部とネック部との間に取り外し可能な連結部を備える楽器に関する。
【背景技術】
【０００２】
ギター、ベース、バイオリン、チェロのような弦楽器は、ネック接合部においてボディに連結されるネック、およびネックとボディとの間に張られる弦を一般的に有する。ボディは、所望の音響や構造特性に応じて種々の形状をとりうる。例えば、アコースティック楽器は一般的に中空のボディーを有し、他方、電気楽器の多くは、種々の電子部品の支持部を備えるソリッドまたはセミソリッドのボディを有する。またさらにいくつかの楽器はアコースティックと電気のハイブリッドであってもよいし、ソリッドに一部中空のボディ部を有してもよい。
【０００３】
ネックは一般的に幅が狭く細長い部材である。その構成は、ネックの機能的要求の結果生じるものである。例えば、ネックは、かなりの長さにわたって弦を引っ張るため十分に長くなければならない。また、ネックの外周は、演奏者が、弦を操作するために少なくとも部分的にはネックの外周を彼らの手で包みこめる大きさでなければならない。この形状のために、ネックは、製造中および時間が経つにつれて、そりやすくゆがみやすい。その結果、調節可能またはネックを交換可能にするネック接合部を有することが望ましい。
【０００４】
調節することができ、および／または分解することができる弦楽器のためのネック接合部を提供するように、種々の試みがなされてきた。例えば、ドパイエラによる特許文献１は、ボディに取り付けられるネックを有するギターのような楽器を教示している。特に、ネック部は、ボディ中に含まれるくぼみ内にネックから垂直に突出する拡張部を含む。拡張部をボディに連結し、かつ、くぼみ内で拡張部の配置を操作することによってボディに対してネックの角度を調節する、一対の締結具を備える。
【０００５】
そのようなシステムは、いくつもの欠点を有する。一つの欠点は、ネック部とボディ部間の取付には、複数の締結具の使用が必要とされることである。このシステムの別の欠点は、両方の締結具がギターの共鳴板に略平行に向けられることである。特にネジ穴は、ネックの下側に直接配置されるので、この方向性により、ネジをギターの側壁に貫通させて挿入することが難しく問題がある。また、ネジ間の調節は厄介である。さらに、そのような配置は、ギターの美観を変質させる。
【０００６】
リージェンバーグによる特許文献２に示される別の例において、ネック接合部は、ギターのボディ内の突き合わせ用の台形ポケットに伸びる、ネックの突出した台形ヒール部の間に形成されている。ヒールの各側面にあるポケットの壁に加えて、台形のポケットとヒールとが密接に嵌合することにより、ヒールの動きが制限される。複数の締結具がネックをボディに固定している。
【０００７】
このギターの欠点は、ヒールおよび／またはポケットの表面すべてが、所望の嵌合を達成するために注意深く成形されかつ厳格な公差を保持しなければならず、適切な嵌合を生成するのに必要な労力がかなり増えるということである。また、台形部の間にそのような嵌合を達成することは困難であるので、より緩い公差の使用が可能であるように複数の締結具が要求されることがあるものと思われる。実際に、当該文献でさえ、整合エラーの可能性を低減するために、ポケットの長さはできる限り長くされるべきであると認めている。しかしながら、嵌合を改善するため、ネックとボディ間の嵌合部はできるだけ長いことが要求されるので、そのような要求は、ボディの美観や構造に直接的な悪影響を及ぼすかもしれない。
【先行技術文献】
【特許文献】
【０００８】
【特許文献１】米国特許第２，４９７，１１６号明細書
【特許文献２】米国特許第５，８８６，２７２号明細書
【発明の概要】
【発明が解決しようとする課題】
【０００９】
上述の観点において、複雑でなく、製作容易で調節可能な、ネック部およびボディ部の間の信頼性の高い嵌合を形成する接続機構に特徴を有する楽器が必要とされている。
【課題を解決するための手段】
【００１０】
上述の観点において、本発明の目的は、ネックとボディとの間の複雑でない接続機構を特徴とする楽器を提供することである。
【００１１】
本発明の別の目的は、ボディ内の適合した形状を有するポケットと、これに相応するネックの適合した形状を有する突起部またはタングとの間に適合した形状を有する弛み止め係合機構を備える楽器のネック接合部を提供することである。
【００１２】
本発明のさらに別の目的は、ネックとボディの間に単一の締結具のみの使用を要求する接続機構を特徴とする楽器を提供することである。
【００１３】
本発明のさらに別の目的は、組立中のボディに対するネックの容易な調節を可能にする楽器のネック接合部を提供することである。
【００１４】
本発明のさらに別の目的は、ネジの挿入および調節が直接的で好都合にできるように楽器の共鳴板に対してほぼ垂直にボディを貫通しネックに入る単一の締結具を使用するネック接合部を有する楽器を提供することである。
【００１５】
本発明の１つの態様は、適合した形状を有するポケットを含むくぼんだ領域を有するボディと、該適合した形状を有するポケットにより受けられるように適合されたタングまたはパドルのような適合した形状を有する取付部分を有するネックとを備える楽器のネック接合部を含む。タングおよびポケットは、それらが相補的でかつタングとポケットとの間に複数の三角形をなす接点があるような、適合した形状を有するものである。
【００１６】
適合した形状を有するタングおよびポケットの係合機構は、タングとボディとの間の相対的移動を防止する結果を生じる。ネックとボディは、タングがポケットに受けられ、１個の締結具を用いて、互いに保持される。ある態様において、１個の締結具は、ボディ部を貫通しネックに入る１個のネジであり、当該ネジは楽器の共鳴板に対してほぼ垂直に配置されるようになっている。
【００１７】
本発明の好適な実施形態において、ポケットは一対の側壁と端壁を含み、それぞれは、タングの相補的な突起部またはくぼみに嵌め合わされるように構成される少なくとも１つのくぼみまたは突起部を含む。ある実施形態において、ポケットの側壁は一対のくぼみを有し、端壁は突起部を有する。ネックのタングは、突起部を有する一対の側壁と、くぼみを有する端壁を含む。１個の締結具がボディを貫通しネックに延びる。締結具の係合が、ポケットの端壁にある突起部が、タングの端壁にあるくぼみに入ることによる係合を確実にするように、ボディおよびネックが構成される。
【００１８】
本発明の別の態様において、楽器のネック接合部は、ネックとボディとの間に挿入されるスペーサまたはシムを含む。好適な実施形態において、適合した形状を有するポケットはスペーサ収納部を有する。スペーサは、ボディとネックとの間に挿入され、かつネックとボディの双方に接触するように、スペーサ収納部内に一部分配置される。その結果、スペーサの寸法は、ネックとボディとの間に所望の方向性を与えるように選択されうる。
【００１９】
締結具は、好適には、ボディの穴を貫通しネック内のねじ込み挿入部に達するネジである。穴は、適合した形状を有するポケットも含むボディ部の増厚領域内に配置される。本発明の別の態様において、締結具は、楽器の底面とほぼ同一平面になるように、ボディ内に埋め込まれている挿入部と組み合わせて使用される。
【００２０】
本発明のこれらのおよび他の特徴と利点は、付属の図面とともに、本発明の後述する詳細な説明の概要から理解されるであろう。図面において、同一の参照符号は全体にわたって同一の部品を示す。
【図面の簡単な説明】
【００２１】
【図１】本発明の原理に係る、ネックとボディとの間で取り外し可能な連結機構を有する、楽器の分解斜視図である。
【図２】図１の楽器の正面図である。
【図３】線Ａ−Ａに沿った、図１の楽器の断面図である。
【図４】図３の楽器の区画Ｂの拡大断面図である。
【図５】図１の楽器のボディの一部の拡大正面図である。
【図６】図１の楽器のネックの一部の拡大背面図である。
【図７】本発明の原理に係る、ネックとボディの間の境界面を示す、線Ｃ−Ｃに沿った、図４の楽器の断面図である。
【図８】ネックとボディの間の境界面を示す、楽器の代替実施形態に係る断面図を示す。
【図９】ネックとボディの間の境界面を示す、楽器の別の代替実施形態に係る断面図を示す。
【図１０】ネックとボディの間の境界面を示す、楽器のさらに別の代替実施形態に係る断面図を示す。
【発明を実施するための形態】
【００２２】
下記の段落において、本発明は、添付の図面を参照して、例により詳細に説明される。この説明を通して、好適な実施形態や実施例は、本発明に関する限定というよりもむしろ類例として考えられるべきである。ここで使用されるとおり、“本発明”は、ここに記載される発明の実施形態のうち任意の一つおよびあらゆる均等物に適用される。さらに、本文を通しての“本発明”の種々の特徴への言及は、すべての請求項に係る物または方法が該言及された特徴を備えなければならないという意味ではない。
【００２３】
一般に、楽器１０は、ボディ１４に取り付けられるネック１２を含む。特に、ネック１２には、ボディ１４に含まれるポケット２０内に挿入される取付部分（すなわち、タング１３）が形成される。下記に詳細に示されるとおり、タング１３およびポケット２０は、個別の係合機構を備えるように成形され、個別の係合機構により、それら機構においてタング１３とポケット２０との間に接点が提供される。好適な実施形態において、３つの係合機構により、タング１３とポケット２０との間の接点が三角形を形成するが、これにより、１個の締結具を使用してネック１２とボディ１４とを連結することができる。個別の係合機構を備えることにより、ネック１２とボディ１４との間に製作が容易な嵌合部が創出される。
【００２４】
図１乃至図４を参照すると、楽器１０は、ペグヘッド１１、ネック１２、ボディ１４から構成される。楽器１０は、ボディ部１４から取り外されているネック部１２とともに示されている。そのために、固定用の適合した形状を有するポケットから構成されるポケット２０と、ネック１２およびボディ１４を接続するための締結具２６の通路のための穴２８とが現れている。
【００２５】
具体的には、ポケット２０は、ネック１２のタング１３を収容するための大きさにされる。この方法により、タング１３とポケット２０は、パズル片のように互いに接続または嵌め合うように作られる。特に、タング１３は、ポケット２０の外周形状に対応する形状を有する外周部を有する。また、ポケット２０は、ボディ１４に対するネック１２の方向を調節するため、１個または複数のスペーサ２２またはシムを受けるように構成されるスペーサ収容部２１を備える。
【００２６】
ネック１２は、ネック１２の上面に結合される指板１５を備える。指板１５は、間隔を空けて配置される複数のフレット１７を有する。指板１５のテール部１９はボディ１４に張り出して延び、ボディ１４に対するネック１２の方向を、楽器１０の美観に影響を与えることなく調節できるように、テール部１９の一部はボディ１４の共鳴板１６内のくぼみによって受けられる。
【００２７】
ボディ１４は、中空でない隣接ポケット２０を有するセミソリッドのギターボディである。ボディ１４は共鳴板１６を有し、共鳴板１６は、ボディ１４の上面全面にわたって延び、かつ、少なくとも部分的にセミソリッドのボディ１４内に形成される中空部を囲む。図３および図４に示されるとおり、ポケット２０は、ボディ１４の中空でない部分まで延びる。
【００２８】
スペーサ２２は、薄い材料片であり、各片はポケット２０の外周と相補関係にある外周を有する。その結果、スペーサ２２の表面領域と、タング１３とポケット２０のそれぞれ隣接する面の面積は、ほぼ等しい。スペーサ２２と、その全表面領域にわたる隣接部分との間の接触により、時間と共にネック接合部の嵌合が変化する原因となるすき間が生じるのを防ぐ。相補関係にある外周により、スペーサ２２はポケット２０内に密接に嵌め合う結果となり、スペーサ２２は、ポケット２０の係合機構に係合する係合機構を備えうる。本発明の実施形態において、スペーサ保持壁２３によってポケット２０に形成されるスペーサ収容部２１内に、スペーサ２２は配置される。その結果、スペーサ２２は、ポケット２０と相補関係にある外周を備え、かつネック１２の長手軸方向に、スペーサ収容部２１内に嵌合可能な長さを有する。好適には、スペーサ２２がスペーサ収容部２１を完全に満たすように、スペーサ２２とスペーサ収容部２１とはほぼ同一の長さを有する。好適には、異なる大きさのスペーサを代用することによりネック１２とボディ１４との間の細かい調節が容易になされるよう、スペーサ２２は、レーザーカットされかつ機械によって０．００２インチ刻みで段階的に先細にされる。スペーサ２２は、木、プラスチック、金属、またはこれら材料の組合せで作られうる。好適には、組立楽器においてネック１２とボディ１４との間に１個のスペーサが挿入されるが、ボディ１４に対してネック１２が所望の方向になるよう複数のスペーサが使用されうることは正しく認識されるべきである。
【００２９】
締結具２６は、組み立てられた楽器のボディ１４からのネック１２の分離を防止するために用いられる。本発明の実施形態において、締結具２６は、ボディ１４の穴２８およびスペーサ２２の穴３０およびタング１３の穴３１を貫通しかつネック１２に埋め込まれるねじこみ挿入部３４にねじ込まれるネジである。好適には、ねじこみ挿入部は、指板１５とタング１３との間で見えないように隠されて、ネック１２に埋め込まれる。しかしながら、ねじこみ挿入部３４が見えるようにネック１２に配置されてもよいし、ねじこみ挿入部３４が装飾的に構成されてもよいことは、正しく認識されるべきある。さらに、ねじこみ挿入部３４は指板１５を貫通して延びる穴に実装され、かつカバーによって覆われてもよく、そのカバーは装飾的であってもよい。
【００３０】
締結具２６が共鳴板１６にほぼ垂直に向けられ、かつ楽器１０のネック接合部を貫通して延びるように、穴２８、穴３０、穴３１が配置される。締結具２６が実装されるとき、ポケット２０の端壁４２の突起部４６がタング１３の端壁５２のくぼみ５６に押しつけられるように、穴２８、穴３０、穴３１はずらされる。例えば、本発明の実施形態において、穴２８の中心線は、突起部４６がくぼみ５６に噛み合わされて押しつけられるように（すなわち、締結具２６がしっかり締められるとタング１３の端壁５２がポケット２０の端壁４２の方向に引っ張られるように）、穴３１の中心線から約０．００５インチずらされる。
【００３１】
本発明の実施形態において、締結具２６は、５／１６−１８の平頭ソケットキャップネジである。楽器１０を使用中にネック１２とボディ１４とを連結保持するのに十分な強度を与えるいかなる締結具も含まれうることは正しく認識されるべきである。また、当該技術分野の技術者であれば正しく認識できるように、締結具はネック１２に取り付けられるねじこみポストでもよい。そのような実施形態において、タング１３がボディ１４のポケット２０に係合されるとき、ねじこみポストはボディ１４を貫通しナットはねじこみポストにねじこまれるであろう。ポストとナットがボディ１４の奥に位置するようにボディ１４の背面１８にくぼみが設けられてもよい。任意で、ポストとナットを覆うようにくぼみに係合するキャップを用いてもよい。
【００３２】
図４に示されるとおり、本発明の実施形態において、穴２８の外端に、端ぐり部３２が付けられ、この端ぐり部は、挿入部２９を受けるように構成されている。挿入部２９は締結具２６のテーパヘッドに係合するテーパ座金である。挿入部２９は端ぐり部３２内にぴったりと嵌合するような大きさにしてよい。そうすることで、締結具２６のヘッドと挿入部２９との係合により、ネック１２とボディ１４とが穴２８、３１の中心線間のずれ相殺のため互いに引き寄せられることとなる。また、端ぐり部３２は、挿入部２９および締結具２６のヘッドがボディ１４の底面１８と同一平面にあるような大きさにしてもよい。さらに別の実施形態において、挿入部２９は、締結具２６のヘッドを隠しかつ楽器１０の美観を改善する（示されない）装飾カバーに嵌合するように構成されてもよい。
【００３３】
図１および図５を参照して、ボディ１４のポケット２０を説明する。ポケット２０は、一般的に、共鳴板１６の上面からボディ１４に延びる開口型くぼみである。ポケット２０は、底面３９、２つの側壁４０、４１ならびに端壁４２を有する。また、ポケット２０は、スペーサ収容部２１を囲むスペーサ保持壁２３を有しうる。示されるとおり、側壁４０、４１、端壁４２ならびにスペーサ保持壁２３は、底面３９から共鳴板１６の方向に通常垂直に延びる。側壁４０、４１および端壁４２は、底面３９から共鳴板１６の外面に延びる。しかしながら、スペーサ保持壁２３は、底面３９から、スペーサ２２の近接端の厚みにおおむね対応する間隔延びる。その結果、楽器１０が組み立てられるとき、図４に示されるとおり、スペーサはネック１２とボディ１４との間に通常封入され、スペーサ収容部２１内に隠れる。
【００３４】
側壁４０、４１は、係合機構を備える。係合機構は、本発明の実施形態においては、くぼみ４５である。くぼみ４５は、一般的に弓形のくぼみである。図示の目的のため、くぼみ４５は、図５において誇張して示されている。くぼみ４５が、０．０１０インチほどの深さを有しうるわずかなくぼみであってよいことは、理解されるべきである。くぼみ４５はいかなる所望の形状であってもよく、弓形である必要がないことは認識されるべきである。例えば、くぼみ４５は、三角形、正方形または他のいかなる多角形であってもよい。さらに、必要ならば、くぼみ４５を省略してもよいことも理解されるべきである。
【００３５】
端壁４２は、ポケット２０の開口端の方向に延びる突起部４６を備えている。突起部４６は、残りの端壁４２からおおよそ０．２０〜０．５０インチ延びている。本発明の実施形態において、突起部は弓形であるが、突起部はいかなる所望の形状であってもよいことは認識されるべきである。例えば、突起部は、三角形、正方形または他のいかなる多角形であってよい。
【００３６】
また、ボディ１２の共鳴板１６は、指板１５のテール部１９を受けるように構成されるくぼみ６０を有してもよい。好適には、くぼみ６０、スペーサ保持壁２３、スペーサ２２およびタング１３は、楽器１０が組み立てられるとき、テール１９がくぼみ６０内に置かれ、タング１３がスペーサ保持壁４３に接触するような寸法にされる。ネック１２とボディ１４の間に審美的に満足な境界面を与えるためには、そのような嵌合が好ましいことは、認識されるべきである。
【００３７】
図１および図６を参照して、ネック１２のタング１３を説明する。タング１３は、ネック１２の一部分であり、タング１３がポケット２０の中に挿入されうるようにポケット２０の形状におおむね適合する断面形状を有する。タング１３は、係合機構を有し、その係合機構は、ポケット２０の対応係合機構に係合するように構成され、それによりネックのタング１３とポケット２０とが連結される。タング１３の係合機構以外の部分は、ポケット２０の壁とタング１３の壁との間に空隙ができるような寸法にされる。その結果、タング１３とポケット２０の間の嵌合は、係合機構ならびに穴２８、穴３１のずれを調整することにより容易に制御されうる。そのような構成により、タング１３およびポケット２０の全面に対する寸法公差の厳格な制御の要求を回避できるので、ネック１２およびボディ１４の製作が容易になる。代わりに、係合機構に対してのみ厳格な寸法公差が求められる。
【００３８】
タング１３は、底面４９、２つの側壁５０、５１および端壁５２を備える。突起部５５は、側壁５０、５１から延びる係合機構である。突起部５５は弓形で、かつ、タング１３の側壁５０、５１から横方向に離隔して延びる。突起部５５は所望のいかなる形状でもよいが、ポケット２０の側壁４０、４１のくぼみ４５と相補的な関係となる形状を有することが望ましい。タング１３の端壁５２は、２つの凸曲線部５７とそれらの間にあるくぼみ５６を備える。
【００３９】
図７は、タング１３とポケット２０との間の嵌合部を示す。示されるとおり、タング１３とポケット２０の係合機構は、図４の線Ｃ−Ｃにおける断面平面上の３地点Ｄ、Ｅ、Ｆで接触する。地点Ｄ、Ｅ、Ｆが、破線で示されるとおり、三角形の頂点をおおむね形成するように、タング１３とポケット２０の係合機構が配置される。好適には、対応する係合機構に嵌合する係合により、断面平面上でポケットに対しタング１３が動くことが防止される。タング１３とポケット２０との間の接点が三角形をなすことにより、ネック１２とボディ１４との間の相対的移動が効率的に抑止される。特に、地点Ｆにおけるくぼみ５６への突起部４６の係合により、端壁４２方向へのタング１３の平行移動やポケット２０に対するタング１３の横方向の平行移動が防止される。また、くぼみ４５と突起部５５との間の係合により、ネック１２の長手方向軸に沿ってと、ポケット２０の横方向への両方に対してポケットに対するタング１３の平行移動が防止される。
【００４０】
指板１５のテール１９はタング１３の縁部を超えて延びかつ組み立てられた楽器１０のくぼみ６０内に置かれるので、（図７に示されるような）タング１３とポケット２０との間のいかなる間隙または空隙もユーザから見えないということも認識されるべきである。その結果、ネック接合部の製造および組立は、楽器の美観が維持されつつ簡素化される。
【００４１】
図８を参照すると、楽器の別の実施形態において、ポケット６８内のタング６３が横方向に動くのを防止するために、タング６３は、ポケット６８の側壁６６、６７に接触する突起部６５を備えている。しかしながら、突起部６５を受けるために側壁６６、６７にくぼみは設けられない。また、タング６３は、端壁７４にくぼみ７１を備え、くぼみ７１は、ポケット６８の端壁７０にある弓形の突起部６９に嵌合するように構成されている。そのような実施形態において、ボディとネックを貫通して延びる穴間のずれにより、突起部６９はタング６３のくぼみ７１に係合しかつ接触を維持するように力を受ける。そのような実施形態の利点は、ポケット６８の壁が製造しやすい形状を有し、かつ接合部では楽器のネックとボディの間の角度調整をより大きくすることができるということである。
【００４２】
図９を参照すると、楽器の別の実施形態は、端壁７４全体がポケット７８の端壁にほぼ係合するような寸法の端壁７４を有するタング７３を含む。タング７３とポケット７８との間の表面領域接触が追加されることにより、タング７３が突起部７９を軸に回転することを防止し、タング７３とポケット７８との間の相対的動きをさらに防止することは認識されるべきである。また、タング７３はポケット７８の側壁に係合する突起部７５を備える。しかしながら、ポケット７８内にタング７３をさらに固定するために突起部７５を受けるように構成されるポケット７８の側壁に、くぼみが設けられてもよいことは認識されるべきである。
【００４３】
上述の通り、ポケットの端壁の突起部はいかなる形状であってもよい。例えば、図１０に示されるとおり、代替の実施形態は、角のある突起部８９を備えるポケット８８に嵌合するタング８３を含む。また、タング８３は、ポケット８８の側壁に係合する突起部８５を備える。しかしながら、ポケット８８内にタング８３をさらに固定するために突起部８５を受けるように構成されるポケット８８の側壁内にくぼみが備えられうることは認識されるべきである。
【００４４】
タングおよびポケットの係合機構の寸法は、楽器のネックとボディとの間の所望の大きさの角度調節が可能になるように選択される。上述の実施形態に含まれる突起部、およびくぼみの向きは一例であり、各突起部およびそれに関連づけられたくぼみの位置は、必要であれば逆であってもよいことは認識されるべきである。例えば、ポケットの側壁のくぼみに嵌合する突起部を備えるタングの代わりに、ポケットの側壁は、タングのくぼみに嵌合する突起部を備えてもよい。
【００４５】
示された実施形態において、楽器はギターを構成する。しかしながら、当該技術分野において通常の技術を有するものによれば正しく理解できるように、ここに記載の原理は、ボディに連結されるネックを有するいかなる楽器にも適用されうる。例えば、本発明の原理は、本発明の範囲からはずれない限り、ギター以外の、例えばベース、バイオリン、チェロのような楽器にも適用されうる。
【００４６】
このように、楽器のネック接合部が提供されることが理解される。本発明が、本発明の詳細な説明に示されるさまざまな実施形態および好適な実施形態以外によっても実施されうること、本発明の詳細な説明に示されるこれらの実施の形態は図示のために提示されており、発明を限定する目的で提示されてはいないこと、本発明が下記請求項によってのみ限定されることは、当該技術分野の技術者であれば理解できるであろう。本発明の詳細な説明において示される個別の実施形態の均等物は同様に本発明を実施することになるであろうことは留意される。
【図１】
0005789584.tif 000002
【図２】
0005789584.tif 000003
【図３】
0005789584.tif 000004
【図４】
0005789584.tif 000005
【図５】
0005789584.tif 000006
【図６】
0005789584.tif 000007
【図７】
0005789584.tif 000008
【図８】
0005789584.tif 000009
【図９】
0005789584.tif 000010
【図１０】
0005789584.tif 000011